(57)【要約】【課題】ひとつの部材の支持金具でも優れた支持強度を有し、チャンネル材の開口部分を利用して形鋼のフランジ等に容易に連結することができるチャンネル支持金具を提供する。【解決手段】板状金具を屈曲して側面略コ字状の金具本体１を設ける。造営材に係止する係止部２と、チャンネル材Ｑの開口部内に挿入する挿入部３とを相対向するように設ける。金具本体１は、帯板状金具により正面略矩形状に屈曲形成される。挿入部３から外側上方に屈曲延長される支持片４が一対形成される。チャンネル材Ｑの屈曲片Ｑ１に、チャンネル材Ｑの開口部内側から支持片４を係止する。【選択図】  図１
2008057610.tif 000002
【特許請求の範囲】
【請求項１】
板状金具を屈曲して側面略コ字状の金具本体を設け、造営材に係止する係止部と、チャンネル材の開口部内に挿入する挿入部とを相対向するように設け、係止部の上面部を貫通する締付ネジにて造営材のフランジを圧着するチャンネル支持金具において、金具本体は、帯板状金具により正面略矩形状に屈曲形成され、前記挿入部から外側上方に屈曲延長される支持片が一対形成され、チャンネル材の開口部内側に向けて屈曲形成された屈曲片に、チャンネル材の開口部内側から支持片を係止することを特徴とするチャンネル支持金具。
【請求項２】
前記金具本体は、正面略矩形状に屈曲形成された金具本体の下端部で帯板状金具の両端部が重合するように設けられた請求項１記載のチャンネル支持金具。
【請求項３】
前記金具本体は、前記係止部と挿入片との間に連結部を有し、該連結部の前面と係止部の下面から金具本体外側に向けて屈曲された折返し部を設けた請求項１又は２記載のチャンネル支持金具。
【請求項４】
前記金具本体は、前記連結部の前面と係止部の下面から金具本体内側に向けて屈曲された折返し部を設けた請求項１又は２記載のチャンネル支持金具。
【発明の詳細な説明】
【技術分野】
【０００１】
本発明は、例えば形鋼のフランジ等にチャンネル材を固定する際に使用するチャンネル支持金具に関する。
【背景技術】
【０００２】
従来、形鋼のフランジ等に部材を固定する金具として、当出願人が先に提案した特許文献１に記載の配管用支持金具などがある。この支持金具は、側面略コ字形状に屈曲した金具本体の上板上面から、金具本体の内部に向けて突出する締付ネジを設けたもので、金具本体の内部に挿入した形鋼のフランジを、金具本体の下板と締付ネジとで挟着して金具本体をフランジに固定するものである。
【０００３】
一方、チャンネル材や吊りボルトを固定するために、前記コ字形状の金具本体を改良したチャンネル支持金具が特許文献２に記載されている。この支持金具は、チャンネル材の開口部に金具本体の一端部を挿入できるように形成したものである。
【０００４】
更に、これらの金具を改良し、チャンネル材の開口部分を利用してチャンネル材を形鋼のフランジ等に容易に連結することができるチャンネル支持具が特許文献３に記載されている。このチャンネル支持具によると、チャンネル材の開口部分内に挿入する一対の挿入片を設けた側面略コ字状の金具本体と、この挿入片に着脱自在に架設して挿入片を補強する補強金具とを設けることで、チャンネル材の開口部分を利用して形鋼のフランジ等に容易に連結することができ、しかも、優れた強度を有するものである。
【特許文献１】特開２００２−９８２６６号公報
【特許文献２】実用新案登録第３０１０９８２号公報
【特許文献３】特許第３８２６３８０号公報
【発明の開示】
【発明が解決しようとする課題】
【０００５】
特許文献１に記載の支持金具は、支持強度に優れ、使用勝手が良い支持金具として、古くから種々の目的で使用されており、他の連結部材を組み合わせることで配管から吊りボルトなど多くの部材を連結することが可能になっている。ところが、この支持金具は、支持強度を高めるために上下の板体を幅広に形成すると共に、板体の左右両側に補強用のリブを設けているので、この支持金具を用いてチャンネル材を連結する場合、支持金具の一部をチャンネル材の開口部に挿入することができない形状になっていた。
【０００６】
そこで、特許文献２のチャンネル支持金具が提案された。この支持金具は、チャンネル材の開口部に挿入できるように、下板の幅を狭くすると共に、前記支持金具に設けていた補強リブを形成しない構成になっている。そのため、チャンネル材の開口部に挿入可能でも支持強度が低下することになった。この結果、荷重が増加し、あるいは締付けネジの締付けトルクが強過ぎると側面コ字形状の金具自体が次第に開いてしまうおそれがあった。
【０００７】
そのため、特許文献２のチャンネル支持金具を更に改良したのが特許文献３のチャンネル材支持金具である。この支持金具によると、挿入片に補強金具を架設して補強するので、優れた支持強度を有すことになった。したがって、支持荷重が増加し、あるいは締付けネジの締付けトルクが強くなり過ぎた場合でも、特許文献２のように、側面コ字形状の金具本体が次第に開いてしまう虞は解消している。ところが、特許文献３の支持金具は、金具本体と別体の補強金具を組み合わせて使用するものであるから、作業時に補強金具が無ければ金具本体の強化はできない。また、金具本体と補強金具との二つの部材を別々に保管し、あるいは運搬する必要がある。このように、特許文献３のチャンネル材支持金具は、作業性、収納性、運搬性などにおいて、ひとつの部材からなる支持金具と比べて不都合な点が多いものであった。
【０００８】
そこで本発明は上述の課題を解消すべく創出されたもので、ひとつの部材の支持金具でも優れた支持強度を有し、チャンネル材の開口部分を利用して形鋼のフランジ等に容易に連結することができるチャンネル支持金具の提供を目的とするものである。
【課題を解決するための手段】
【０００９】
上述の目的を達成すべく本発明における第１の手段は、板状金具を屈曲して側面略コ字状の金具本体１を設け、造営材に係止する係止部２と、チャンネル材Ｑの開口部内に挿入する挿入部３とを相対向するように設け、係止部２の上面部を貫通する締付ネジ６にて造営材のフランジＰを圧着するチャンネル支持金具において、金具本体１は、帯板状金具により正面略矩形状に屈曲形成されると共に、該矩形状の下端部で帯板状金具の両端部が重合するように設けられ、前記挿入部３から外側上方に屈曲延長される支持片４が一対形成され、チャンネル材Ｑの開口部内側に向けて屈曲形成された屈曲片Ｑ１に、チャンネル材Ｑの開口部内側から支持片４を係止することにある。
【００１０】
第２の手段の前記金具本体１は、正面略矩形状に屈曲形成された金具本体１の下端部で帯板状金具の両端部が重合するように設けられている。
【００１１】
第３の手段において、前記金具本体１は、前記係止部２と挿入片３との間に連結部５を有し、該連結部５の前面と係止部２の下面から金具本体１外側に向けて屈曲された折返し部７を設けるものである。
【００１２】
第４の手段において、前記金具本体１は、前記連結部５の前面と係止部２の下面から金具本体１内側に向けて屈曲された折返し部７を設けたことを課題解消のための手段とする。
【発明の効果】
【００１３】
本発明の請求項１により、チャンネル材Ｑの屈曲片Ｑ１に、チャンネル材Ｑの開口部内側から支持片４を係止することで、造営材とチャンネル材Ｑとを接した状態で締付ネジ６を緊締すると、正面略矩形状成した金具本体１と支持片４とによる極めて強力な支持が可能になるものである。この結果、特許文献３の如く、二つの部材からなる支持金具のように、作業性、収納性、運搬性などにおける不都合は全て解消した。
【００１４】
請求項２により、正面略矩形状成した金具本体１は、金具本体１の下端部で帯板状金具の両端部が重合するように設けられているので、支持片４から伝えられる荷重をこの重合部分で強固に支持することができる。
【００１５】
請求項３により、連結部５の前面と係止部２の下面から金具本体１外側に向けて屈曲された折返し部７を設けることで、締付ネジ６緊締時における係止部２の変形を更に強力に防止することができる。
【００１６】
請求項４により、連結部５の前面と係止部２の下面から金具本体１内側に向けて屈曲された折返し部７を設けることで、締付ネジ６緊締時における係止部２の変形を更に強力に防止することができる。
【００１７】
このように本発明によると、ひとつの部材の支持金具でも優れた支持強度を有し、チャンネル材の開口部分を利用して形鋼のフランジ等に容易に連結することができるなどといった種々の効果を奏するものである。
【発明を実施するための最良の形態】
【００１８】
本発明支持金具の最良の形態は、板状金具を屈曲して側面略コ字状の金具本体１を設け、造営材に係止する係止部２と、チャンネル材Ｑの開口部内に挿入する挿入部３とを相対向するように設ける。係止部２の上面部を貫通する締付ネジ６にて造営材のフランジＰを圧着するチャンネル支持金具を形成する。金具本体１は、帯板状金具により正面略矩形状に屈曲形成されると共に、該矩形状の下端部で帯板状金具の両端部が重合するように設けられている。前記挿入部３から外側上方に屈曲延長される支持片４が一対形成される。チャンネル材Ｑの開口部内側に向けて屈曲形成された屈曲片Ｑ１に、チャンネル材Ｑの開口部内側から支持片４を係止する。前記金具本体１は、前記係止部２と挿入片３との間に連結部５を有する。該連結部５の前面と係止部２の下面から金具本体１外側に向けて屈曲された折返し部７を設けることで当初の目的を達成するものである。
【実施例】
【００１９】
以下、本発明の一実施例を説明する。本発明支持金具は、係止部２と連結部５と挿入部３とが側面略コ字状を成すように設けられた金具本体１にて形成されるものである（図１参照）。この金具本体１は、帯板状金具を屈曲して形成したもので、金具本体１の正面形状は略矩形状で、図示例では長方形状を成すように屈曲されている（図３参照）。
【００２０】
そして、該矩形状の下端部１Ａで帯板状金具の両端部が重合するように設けている。この下端部１Ａは、図示例の他、たとえば帯板状金具の端部が下端部１Ａで突き当たるようにするなど、その設計変更は自由である。このような金具本体１の側面形状が、係止部２と挿入部３及びこれらを連結する連結部５によって略コ字状を成すものである（図２参照）。
【００２１】
係止部２は、側面略コ字状の金具本体１上部に設けられ、例えばＨ形鋼等の造営材に係止するもので、係止部２の上面部を貫通する締付ネジ６にて造営材のフランジＰを圧着する（図３参照）。図示の締付ネジ６は、係止部２に開穿したネジ孔２Ａに装着している（図２参照）。また、この係止部２は、屈曲された帯板状金具により、板状の係止部２が左右に一対形成されるものである（図１参照）。
【００２２】
挿入部３は、側面略コ字状の金具本体１下部に設けられ、チャンネル材Ｑの開口部内に挿入するものである。この挿入部３は、前記係止部２と相対向するように設けている。この挿入部３も係止部２と同様に、屈曲された帯板状金具により、板状の挿入部３が左右に一対形成されるものである。更に、この挿入部３の上端から外側上方に屈曲延長される支持片４が一対形成されている（図１参照）。
【００２３】
この支持片４は、挿入部３をチャンネル材Ｑの開口部内に挿入したときに、チャンネル材Ｑの屈曲片Ｑ１に下から係止するものである（図３参照）。そのため、支持片４相互の間隔は、予め屈曲片Ｑ１の間隔に合わせて形成している。そして、支持片４の上端部が屈曲片Ｑ１の下面上部に係止する。また、金具本体１の矩形状を成す正面の幅は、屈曲片Ｑ１相互の間隔より薄くなるように形成している。図示の支持片４は、挿入部３の上端部から略水平に延長された水平部４Ａと、該水平部４Ａから更に鉛直上方に屈曲延長された垂直部４Ｂとによって略鉤形状を成している（図３参照）。そして、垂直部４Ｂの外側面がチャンネル材Ｑの内側面に重合するように設けている。支持片４をこのような形状にすることで、支持片４の支持強度を高めている。
【００２４】
図４、図５は、他の使用例を示している。すなわち、支持片４を屈曲片Ｑ１に係止するのではなく、チャンネル材Ｑの屈曲片Ｑ１を下向きにして装着する場合に、チャンネル材Ｑの反転した底部に支持片４を係止した状態を示している。
【００２５】
図６乃至図８に示す金具本体１は、連結部５の前面と係止部２の下面から金具本体１外側に向けて屈曲された折返し部７を設けたものである。この折返し部７は、連結部５の前面に位置する端面と、係止部２の下面に位置する端面とが外側に向くように屈曲されたものである（図７参照）。
【００２６】
図９、図１０に示す金具本体１は、図６で示す折返し部７の屈曲方向を逆にしたもので、金具本体１内側に向けて屈曲された折返し部７を示している。
【００２７】
これらの折返し部７により、締付ネジ６の緊締力が強すぎたとしても、係止部２が開いていくことがなくなり、強力な固定力が得られるものになる。
【００２８】
尚、本発明は、図示例に限定されるものではなく、たとえば、係止部２や挿入部３の形状、あるいは支持片４の形状や屈曲角度など、本発明の要旨を変更しない範囲において自由に変更できるものである。
【図面の簡単な説明】
【００２９】
【図１】本発明の一実施例を示す斜視図である。
【図２】本発明の一実施例を示す縦断面図である。
【図３】本発明の施工例を示す正面図である。
【図４】本発明の他の施工例を示す正面図である。
【図５】本発明の他の施工例を示す側面図である。
【図６】本発明金具本体の他の実施例を示す正面図である。
【図７】本発明金具本体の他の実施例を示す側面図である。
【図８】本発明の他の施工例を示す正面図である。
【図９】本発明金具本体の他の実施例を示す正面図である。
【図１０】本発明の他の施工例を示す正面図である。
【符号の説明】
【００３０】
Ｐ  フランジ
Ｑ  チャンネル材
Ｑ１ 屈曲片
１  金具本体
１Ａ 下端部
２  係止部
２Ａ ネジ孔
３  挿入部
４  支持片
４Ａ 水平部
４Ｂ 垂直部
５  連結部
６  締付ネジ
７  折返し部
【図１】
2008057610.tif 000003
【図２】
2008057610.tif 000004
【図３】
2008057610.tif 000005
【図４】
2008057610.tif 000006
【図５】
2008057610.tif 000007
【図６】
2008057610.tif 000008
【図７】
2008057610.tif 000009
【図８】
2008057610.tif 000010
【図９】
2008057610.tif 000011
【図１０】
2008057610.tif 000012